(57)【要約】      （修正有）【課題】中空の充填ノズルに筒状部を設けて、充填量を増量して圧入を強くし、コーキングガンの把持操作の回数を短縮できるコーキング剤の充填ノズルを提供する。【解決手段】中空の充填ノズル１の装着部２と中空円錐状のノズル先端部５の間にコーキング容器６の出口部７の径とほぼ同径で適宜な長さを有する筒状部４を形成する。充填量を増量して圧入を強くすることにより、目地や亀裂の奥深くまで充填材を圧入してコーキングガンの把持操作の回数を短縮する。【選択図】図２
0003220846.tif 000002
【実用新案登録請求の範囲】
【請求項１】
中空の充填ノズルの基端にコーキング材の容器の出口部とを連結する装着部と、他端には先端にいたるにつれて径が次第に細くなり、且つ先端を閉塞させた中空円錐状の中空の充填ノズルにおいて、前記中空の充填ノズルの装着部と中空円錐状の間にコーキング材の容器の出口部の径と同径で適宜な長さを有する筒状部を一体的に形成させたことを特徴とするコーキング材の充填ノズル。
【請求項２】
筒状部はコーキング材の容器の出口部の径より大きくして適宜な長さを有する、請求項１に記載のコーキング材の充填ノズル。
【考案の詳細な説明】
【技術分野】
【０００１】  本考案は、天井と壁の際の隙間や目地、溝、凹み部分などに充填をスムーズに行うためのコーキング材の充填ノズルに関するものである。
【背景の技術】
【０００２】  従来のコーキング材の充填ノズルは、コーキング材の容器の出口部と連結する装着部から先端に行くほどに次第に細くなる中空円錐状のもので且つ先端を閉塞していた。
【先行技術文献】
【０００３】
【特許文献】
【特許文献】実用新案出願公開  平４−１４１６５号公報
【考案の概要】
【考案を解決しようとする課題】
【０００４】  上記の従来技術によると、コーキング材の容器に中空円錐状の充填ノズルを連結し、使用時にこの充填ノズルの先端を所望の口径に相当する位置で切断し、開口してコーキングガンのハンドルの把持操作で細い先端の小穴からコーキング材を押し出し目地や隙間や凹部に吐出させて充填していた。
【０００５】  しかしながら、従来のコーキング材の中空円錐状の充填ノズルでは、充填量が少ないので面積が大きかったり、全長が長い目地等のコーキングを施工する場合には、コーキングガンのハンドルの把持操作を幾度も行って充填剤を吐出させて充填していた。
【０００６】  さらに、この場合充填材は目地等への圧入の力は弱く目地等の奥まで充填され難く、表面的な充填に過ぎなかった。
【０００７】  従って、充填ノズルの形状を変えることにより、充填ノズルの充填量を多くして、コーキングガンのハンドルの把持操作の回数を短縮し、目地等の奥深くまでコーキング材を充填することにより欠点を解決しようとするものである。
【課題を解決するための手段】
【０００８】  中空の充填ノズルの基端にコーキング材の容器の出口部とを連結する装着部と、他端には先端にいたるにつれて径が次第に細くなる中空円錐状の間に筒状部を一体的に形成しており、前記筒状部はコーキング材の容器の出口部の径とほぼ同径で適宜な長さを有して、且つ先端を閉塞させている事により問題を解決している。なお筒状部はコーキング材の容器の出口部の径より大きくして適宜な長さを有しても良い。
【考案の効果】
【０００９】  コーキング材の容器の出口部の径とほぼ同径、または容器の出口部の径より大きくして適宜な長さを有する筒状部を形成したことにより、従来の中空円錐状の充填ノズルの充填量よりも本考案の中空の充填ノズルの充填量がはるかに多くなることにより、特に面積が大きい溝、亀裂、凹み部分等や全長が長い目地等のコーキングを施工する場合には、コーキングガンのハンドルの把持操作の回数が短縮出来て、作業者の疲労を低減して作業効率を上げることができる。
【００１０】  さらに、従来のコーキング材の中空円錐状の充填ノズルでは、充填量が少ないため、充填材は目地等への圧入の力は弱く目地等の奥まで充填され難く、表面的な充填に過ぎなかったので、長期間の後にはコーキング材の表面部分の劣化による接着力の低下で剥離の現象が生じ目地等から水が侵入する恐れがあったが、コーキング材の容器の装着部の径とほぼ同径または容器の装着部の径より大きくして適宜な長さを有する筒状部を形成したことにより、従来の中空円錐状の充填ノズルの充填量よりはるかに多くなるので、充填材を目地等へ押し出す圧入の力は、従来の中空円錐状の充填ノズルよりはるかに強く、目地等の奥深くまでコーキング材を手軽に充填させれるので、目地等から水が侵入する恐れはない。なお、コーキングガンのハンドルの把持の強弱により、把持を強くすれば目地等に奥深くまでコーキング材が充填させれ、又は把持を弱くすればごく浅くなる。
【図面の簡単な説明】
【００１１】
【図１】  本考案の正面からの一部欠損断面図である。
【図２】  本考案の一実施形態の一部欠損断面図である。
【考案を実施するための形態】
【００１２】  中空の充填ノズルの基端にコーキング材の容器の出口部に螺設された雄ねじと連結する雌ねじを螺設した装着部を形成し、前記コーキング材の容器の出口部の径とほぼ同径、または容器の出口部の径より大きくして適宜な長さを有する筒状部を、装着部と先端にいたるにつれて径が次第に細く、且つ先端を閉塞させなる中空円錐状の間に一体的に形成させた中空の充填ノズルである。
以下、本考案の実施の形態を図に基づいて説明する。
【実施例】
【００１３】  図１及び図２は、本考案の一部欠損正面図と一部欠損断面図であって、
１は耐久性のプラスチック等の適宜素材にて一体化形成された中空の充填ノズル。２は中空の充填ノズル１の基端に形成された装着部であって、内周面に雌ねじ３を螺設している。４は筒状部であって、装着部２と先端にいたるにつれて径が次第に細く、且つ先端を閉塞させている中空円錐状５の間に一体的に形成されており、コーキング材の容器６の出口部７の径とほぼ同径で適宜な長さを有している。８は出口部６の外周に螺設した雄ねじであって、中空の充填ノズル１の雌ねじ３と螺合する。【００１４】  本考案は以上の構成であるから、コーキングガンにコーキング材の容器６をセットし、コーキング材の容器６出口部７の外周面に螺設した雄ねじ８に中空の充填ノズル１の雌ねじ３とを螺合して、施工箇所に合わせて先端にいたるにつれて次第に細く形成された中空円錐状５をカッターナイフ等でカットし、カットした細い先端を壁の目地や壁に生じた亀裂に差し込み、コーキングガンのハンドルの把持操作により先端のカットした小穴からコーキング材を押し出して壁の目地や壁に生じた亀裂箇所に充填するもので、従来の中空円錐状の充填ノズルでは充填量が少なかったが、本考案の中空の充填ノズル１は充填量を多くするために、コーキング材の容器６の出口部７の径とほぼ同径、またはコーキング材の容器６の出口部７の径より大きく形成した筒状部４を設けて充填量を増しているので、面積が大きい溝、亀裂、凹み部分や全長が長い目地等のコーキングを施工する場合には、コーキングガンのハンドルの把持操作の回数が短縮出来る。また充填材を目地等へ押し出す圧入の力は、充填量が増量された筒状部４を設けているので、コーキングガンのハンドルの把持操作を行うと従来の中空円錐状の充填ノズルの圧入より強くなり、目地等の奥深くまでコーキング材を充填させれるので、目地等から水が侵入する恐れはない。
【産業上の利用可能性】
【００１５】  本考案は、中空の充填ノズルを製造する産業で利用される。
【符号の説明】
【００１６】１  中空の充填ノズル
２  装着部
３  雌ねじ
４  筒状部
５  中空円錐状
６  コーキング材の容器
７  出口部
８  雄ねじ
【図１】
0003220846.tif 000003
【図２】
0003220846.tif 000004
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
中空の充填ノズルの基端にコーキング材の容器の出口部とを連結する装着部と、他端には先端にいたるにつけて径が次第に細くなり、且つ先端を閉塞させた中空円錐状の中空の充填ノズルにおいて、前記中空の充填ノズルの装着部と中空円錐状の間にコーキング材の容器の出口部の径と同径で適宜な長さを有する筒状部を一体的に形成させたことを特徴とするコーキング材の充填ノズル。